(57)【要約】【課題】前面が表に向いた状態であるときと，前面が裏に向いた状態であるときとによって，無線で発信するデータが異なる非接触ＩＣカードを提供する。【解決手段】本発明に係る非接触ＩＣカード１は，非接触ＩＣカード１の前面と裏面を使い分けることができるように，リーダライタ２が発信する電波を遮蔽する電磁波遮蔽層１０を挟んで，ＩＣチップ１１０およびアンテナ１１１を実装した２つのインレット１１を積層した構成になっている。【選択図】図１
2018190279.tif 000002
【特許請求の範囲】
【請求項１】
ＩＣチップおよびアンテナを実装したインレットを積層した非接触ＩＣカードであって，電波を遮蔽する電磁波遮蔽層を挟んで２つの前記インレットを積層したことを特徴とする非接触ＩＣカード。
【発明の詳細な説明】
【技術分野】
【０００１】
本発明は，ＩＣチップおよびアンテナを実装したインレットを積層した非接触ＩＣカードに関する。
【背景技術】
【０００２】
近年，アミューズメント施設等で，ゲームカードをプレイテーブル上に並べてオンラン上の相手などと対戦するゲーム装置が普及している。ゲーム装置で用いられるゲームカードの前面には，ゲームカードに対応させるゲームキャラクタの絵柄や能力値が印刷されており，ゲーム装置をプレイするプレイヤーは，ゲーム装置のプレイテーブルに並べるゲームカードの選定や選定したゲームカードの並べ方に戦術を凝らして勝敗を競う。
【０００３】
ゲームカードを利用するゲーム装置には，ゲーム装置のプレイテーブルに並べられたゲームカードを認識する機能が必要になる。プレイテーブルに並べられたゲームカードを認識する手法として，１次元バーコード，２次元バーコード，色で識別するカラーコードなどの光学コードをゲームカードに印刷し，プレイテーブルと接するゲームカードの面に印刷された光学コードを光学的に読み取ることが一般的に用いられている（例えば，特許文献１の図５）。光学コードを印刷する面は，ゲームカードの裏面に限定されず，ゲームカードの表裏面それぞれに光学コードを印刷すれば，ゲームカードの両面をカードゲームに利用でき，ゲーム内容を広げることができる。
【０００４】
一方で，一般的に光学コードが固定の為，光学コードを印刷したゲームカードは，ゲーム進行に応じてゲームキャラクタが成長するカードゲームには適さない問題がある。また，ゲームカードに印刷された光学コードを改ざんすることにより不正なプレイが可能になるという課題もある。
【０００５】
そこで，光学コードに代わる技術として，ゲームカードを非接触ＩＣカード化する試みがなされている（例えば，特許文献２）。ゲームカードを非接触ＩＣカード化すれば，非接触ＩＣカード化したゲームカードに記憶させたカード情報をカードゲームの進行に合わせて上書きでき，ゲームキャラクタが成長するカードゲームにも対応がとれる。また，非接触ＩＣカード化したゲームカードに記憶させたカード情報へのアクセスにパスワードを設定すれば，このカード情報の改ざんも防止できる。加えて，アミューズメント施設に設置されているゲーム装置以外の機器（スマートフォンやハンディタイプのゲーム機）でも，ゲームカードが対応するカードゲームがプレイ可能になるメリットも得られる。
【０００６】
非接触ＩＣカード化したゲームカードを用いるゲーム装置のプレイテーブルには，非接触ゲームカードと無線通信するリーダライタが複数配置され（例えば，特許文献２の図３），このゲーム装置は，非接触ゲームカードと無線通信可能なリーダライタから，非接触ゲームカードが置かれたプレイテーブル上の位置を特定する。
【０００７】
非接触ＩＣカード化したゲームカードを用いる場合であっても，ゲームカードの前面が表に向いた状態であるか否かを認識できることがカードゲームによっては必要で，特許文献２で開示されている発明では，ゲームカードに３つのＩＣチップを実装し，ＩＣチップが発信する電波の強度から，ゲームカードの前面が表に向いた状態であるか否かを認識する。
【先行技術文献】
【特許文献】
【０００８】
【特許文献１】特開２００４−４１７４０号公報
【特許文献２】特開２００８−１２５９７２号公報
【発明の概要】
【発明が解決しようとする課題】
【０００９】
しかしながら，特許文献２で開示されている発明では，前面が表に向いた状態であるか否かに係わらず，ゲームカードは同じデータを無線で発信するため，前面が表に向いた状態であるか否かを認識するための機能をゲーム装置が備えていなければ，ゲームカードの前面が表に向いた状態であるか否かを認識できない。ゲーム分野以外でも，非接触ＩＣカードの前面と裏面を使い分けることができれば，様々なソリューションでの利用が可能なため，本発明では，前面が表に向いた状態であるときと，前面が裏に向いた状態であるときとによって，無線で発信するデータが異なる非接触ＩＣカードを提供することを目的とする。
【課題を解決するための手段】
【００１０】
上記の課題を解決する本発明は，ＩＣチップおよびアンテナを実装したインレットを積層した非接触ＩＣカードであって，電波を遮蔽する電磁波遮蔽層を挟んで２つの前記インレットを積層したことを特徴とする非接触ＩＣカードである。
【発明の効果】
【００１１】
本発明に係る非接触ＩＣカードは，電波を遮蔽する電磁波遮蔽層を挟んで２つのインレットを積層することで，前面が表に向いた状態であるときと，前面が裏に向いた状態であるときとによって，無線で発信するデータが異なるように構成されている。
【図面の簡単な説明】
【００１２】
【図１】本実施形態に係る非接触ＩＣカードの構成を説明する図。
【図２】インレットを説明する図。
【図３】電磁波遮蔽層を説明する図。
【図４】本実施形態に係る非接触ＩＣカードの効果を説明する図。
【図５】実施形態に係る非接触ＩＣカードの用途を説明する第１図。
【図６】実施形態に係る非接触ＩＣカードの用途を説明する第２図。
【発明を実施するための形態】
【００１３】
ここから，本発明の好適な実施形態を記載する。なお，以下の記載は本発明の好適な形態の説明にしかすぎず，本発明の技術的範囲を束縛するものではない。
【００１４】
図１では，本実施形態に係る非接触ＩＣカード１の構成を図示している。図１で図示した非接触ＩＣカード１は，非接触ＩＣカード１の前面と裏面を使い分けることができるように，リーダライタ２が発信する電波を遮蔽する電磁波遮蔽層１０を挟んで，ＩＣチップ１１０およびアンテナ１１１を実装した２つのインレット１１を積層した構成になっている。加えて，本実施形態に係る非接触ＩＣカード１では，非接触ＩＣカード１の前面絵柄を印刷した前面シート１２ａを前面側になるインレット１１（以下，前面側インレット１１ａと記す）に積層し，非接触ＩＣカード１の裏面絵柄を印刷した裏面シート１２ｂを裏面側になるインレット１１（以下，裏面側インレット１１ｂと記す）に積層している。なお，図１で図示した非接触ＩＣカード１に含まれる各層（前面シート１２ａ，前面側インレット１１ａ，電磁波遮蔽層１０，裏面側インレット１１ｂおよび裏面シート１２ｂ）を積層する手法は任意であるが，一般的には各層の積層に接着剤が用いられる。
【００１５】
図２は，本実施形態に係る非接触ＩＣカード１に積層するインレット１１を説明する図である。非接触ＩＣカード１の前面シート１２ａを積層する前面側インレット１１ａには，前面側インレット１１ａの基材シート１１２ａに，ＩＣチップ１１０ａとＩＣチップ１１０ａと接続するアンテナ１１１ａが実装される。図２では，前面側インレット１１ａに実装したアンテナ１１１ａの形状は非接触ＩＣカード１と同様の形状で，前面側インレット１１ａに実装したＩＣチップ１１０ａは非接触ＩＣカード１の短辺側に配置されている。前面側インレット１１ａと同様に，非接触ＩＣカード１の裏面シートを積層する裏面側インレット１１ｂには，裏面側インレット１１ｂの基材シート１１２ｂに，ＩＣチップ１１０ｂとＩＣチップ１１０ｂと接続するアンテナ１１１ｂが実装される。図２では，裏面側インレット１１ｂに実装したアンテナ１１１ｂの形状は非接触ＩＣカード１と同様の形状で，裏面側インレット１１ｂに実装したＩＣチップ１１０ｂは非接触ＩＣカード１の短辺側に配置されている。なお，本実施形態では，前面側インレット１１ａのアンテナ１１１の形状と裏面側インレット１１ｂのアンテナ１１１の形状を同形状としているが，前面側インレット１１ａのアンテナ１１１の形状と裏面側インレット１１ｂのアンテナ１１１の形状は同形状でなくともよい。
【００１６】
このように，前面側インレット１１ａと裏面側インレット１１ｂは同様の形態をなしているが，本実施形態に係る非接触ＩＣカード１では，前面側インレット１１ａを積層する向きと裏面側インレット１１ｂを積層する向きを逆向きにしている。本実施形態に係る非接触ＩＣカード１において，前面側インレット１１ａのＩＣチップ１１０ａが前面側になる向きで前面側インレット１１ａは積層され，裏面側インレット１１ｂのＩＣチップ１１０ｂが裏面側になる向きで裏面側インレット１１ｂは積層されている。また，前面側インレット１１ａのＩＣチップ１１０ａと裏面側インレット１１ｂのＩＣチップ１１０ｂが重なると，その箇所の厚みが増えるため，前面側インレット１１ａのＩＣチップ１１０ａと裏面側インレット１１ｂのＩＣチップ１１０ｂの位置がずれるように，前面側インレット１１ａと裏面側インレット１１ｂを積層している。具体的に，図２では，前面側インレット１１ａのＩＣチップ１１０ａと裏面側インレット１１ｂのＩＣチップ１１０ｂは，非接触ＩＣカード１の中心に関して互いに向き合う位置関係になっている。
【００１７】
図３は，電磁波遮蔽層１０を説明する図である。本実施形態に係る非接触ＩＣカード１に積層する電磁波遮蔽層１０は，非接触ＩＣカード１の前面側と裏面側を仕切り，前面側と裏面側間で電磁波が流れるのを防止するための層である。非接触ＩＣカード１に積層する電磁波遮蔽層１０は，フェライトなど高透磁率の磁性材料を利用して構成することができる。図３（ａ）は，電磁波遮蔽層１０を単層で実現した形態である。図３（ａ）で図示した電磁波遮蔽層１０１は，高透磁率の磁性材料を粉末状にして樹脂（ゴムやシリコンなど）に練り込んだ磁性シートのみで構成されている。図３（ｂ）は，電磁波遮蔽層１０を３層で実現した形態である。図３（ｂ）で図示した電磁波遮蔽層１０２は，高透磁率の磁性材料を粉末状にして樹脂（ゴムやシリコンなど）に練り込んだ２枚の磁性シート１０２ｂ，ｃの間に金属シート１０２ａ（アルミシートやステンレスシートなど）を挟んだ構成になっている。なお，リーダライタ２が発信する電波を遮蔽できれば，電磁波遮蔽層１０の形態は上記の構成に限定されない。
【００１８】
図４は，本実施形態に係る非接触ＩＣカード１の効果を説明する図である。電磁波遮蔽層１０を挟んで前面側インレット１１ａと裏面側インレット１１ｂを積層することで，本実施形態に係る非接触ＩＣカード１がリーダライタ２にかざれた際，リーダライタ２が発信する電波は電磁波遮蔽層１０によって遮蔽され，電磁波遮蔽層１０を介さずにリーダライタ２と対向するインレット１１のみが動作することになる。
【００１９】
図４（ａ）は，本実施形態に係る非接触ＩＣカード１を表向きでリーダライタ２に置いたときの図である。本実施形態に係る非接触ＩＣカード１を表向きでリーダライタ２に置いたとき，リーダライタ２が発信する電波は，非接触ＩＣカード１の裏面側に積層された裏面側インレット１１ｂには届くが，高透磁率の磁性材料を含む電磁波遮蔽層１０で集束され，非接触ＩＣカード１の前面側に積層された前面側インレット１１ａには届かないため，非接触ＩＣカード１の裏面側に積層された裏面側インレット１１ｂに実装されたＩＣチップ１１０ｂのみが動作する。
【００２０】
図４（ｂ）は，本実施形態に係る非接触ＩＣカード１を裏向きでリーダライタ２に置いたときの図である。本実施形態に係る非接触ＩＣカード１を裏向きでリーダライタ２に置いたとき，リーダライタ２が発信する電波は，非接触ＩＣカード１の前面側に積層された前面側インレット１１ａには届くが，高透磁率の磁性材料を含む電磁波遮蔽層１０で集束され，非接触ＩＣカード１の裏面側に積層された裏面側インレット１１ｂには届かないため，非接触ＩＣカード１の前面側に積層された前面側インレット１１ａに実装されたＩＣチップ１１０ａのみが動作する。
【００２１】
前面側インレット１１ａに実装したＩＣチップ１１０ａに記憶させるデータと，裏面側インレット１１ｂに実装したＩＣチップ１１０ｂに記憶させるデータが同一でなければ，リーダライタ２は，非接触ＩＣカード１から読み出したデータによって，非接触ＩＣカード１の前面が表に向いている状態である否かを識別でき，ユーザは非接触ＩＣカード１の前面と裏面を使い分けることができる。例えば，非接触ＩＣカード１から読み出したデータが，裏面側インレット１１ｂのＩＣチップ１１０ｂに記憶させたデータの場合，非接触ＩＣカード１の前面が表に向いている状態であると判定できる。非接触ＩＣカード１から読み出したデータが，前面側インレット１１ａのＩＣチップ１１０ａに記憶させたデータの場合，非接触ＩＣカード１の前面が裏に向いている状態であると判定できる。なお，前面が表に向いている状態で非接触ＩＣカード１がリーダライタ２にかざされると，裏面側インレット１１ｂのＩＣチップ１１０ｂが動作するため，前面シート１２ａに印刷した前面絵柄に係るデータは，裏面側インレット１１ｂのＩＣチップ１１０ｂに記憶することが望ましい。同様に，裏面が表に向いている状態で非接触ＩＣカード１がリーダライタ２にかざされると，前面側インレット１１ａのＩＣチップ１１０ａが動作するため，裏面シート１２ｂに印刷した裏面絵柄に係るデータは，前面側インレット１１ａのＩＣチップ１１０ａに記憶することが望ましい。
【００２２】
ここから，本実施形態に係る非接触ＩＣカード１の用途について説明する。図５は，実施形態に係る非接触ＩＣカード１の用途を説明する第１図，図６は，実施形態に係る非接触ＩＣカード１の用途を説明する第２図である。
【００２３】
図５で図示したゲームカード３は，図１で図示した非接触ＩＣカード１と同様の構成をなしており，ゲームカード３の前面と裏面を使い分けることができるように構成されている。また，図５で図示したゲーム装置４は，コンピュータボードを内蔵し，一つまたは複数のゲームカード３を置くプレイテーブル４ａ，ディスプレイ４ｂおよび操作ボタン４ｃなどを備え，特許文献２と同様に，複数のリーダライタ２（図示していない）がプレイテーブル４ａの内部に配置されている。
【００２４】
図５（ａ）は，前面が裏に向いている状態でゲームカード３をプレイテーブル４ａに置いたときの図で，図５（ｂ）は，前面が表に向いている状態でゲームカード３をプレイテーブル４ａに置いたときの図である。プレイヤーが選定したゲームカード３は，前面が裏に向いている状態でプレイテーブル４ａに並べられ（図５（ａ）），前面が裏に向いている状態の一つのゲームカード３をプレイヤーがひっくり返すと，前面が表に向いている状態になったゲームカード３に対応するゲームキャラクタが選択される（図５（ｂ））ようにゲーム装置４は構成されている。
【００２５】
図６で図示した観光案内用カード５は，図１で図示した非接触ＩＣカード１と同様の構成をなしており，観光案内用カード５の前面と裏面を使い分けることができるように構成されている。図６では，観光案内用カード５と通信する装置は，近接無線通信用のリーダライタ２が内蔵されたスマートフォン６で，スマートフォン６には，観光案内用カード５を利用するアプリケーションがインストールされている。
【００２６】
図６（ａ）は，前面を表に向けた状態で観光案内用カード５をスマートフォン６にかざしたときの図で，図６（ｂ）は，裏面を表に向けた状態で観光案内用カード５をスマートフォン６にかざしたときの図である。図６で図示した観光案内用カード５における裏面側インレット１１ｂのＩＣチップ１１０ｂには，観光名所案内を示すデータが記憶されており，前面を表に向けた状態で観光案内用カード５をスマートフォン６にかざすと，スマートフォン６は，観光案内用カード５から読み出したデータ（ここでは，観光名所案内を示すデータ）に対応する情報（ここでは，観光名所案内サービスを提供するウェブページ）をタッチパネル６ａに表示する（図６（ａ））。図６で図示した観光案内用カード５における前面側インレット１１ａのＩＣチップ１１０ａには，路線乗り換え案内を示すデータが記憶されており，前面を裏に向けた状態で観光案内用カード５をスマートフォン６にかざすと，スマートフォン６は，観光案内用カード５から読み出したデータ（ここでは，路線乗り換え案内を示すデータ）に対応する情報（ここでは，路線乗り換え案内サービスを提供するウェブページ）をタッチパネル６ａに表示する（図６（ｂ））。
【００２７】
これまで説明したように，本実施形態に係る非接触ＩＣカード１は，非接触ＩＣカード１の前面側に積層する前面側インレット１１ａと，非接触ＩＣカード１の裏面側に積層する裏面側インレット１１ｂの間に，リーダライタ２が発信する電波を遮蔽する電磁波遮蔽層１０を積層した構成になっているので，非接触ＩＣカード１の前面と裏面を使い分けることができる。また，前面と裏面を使い分けることができる非接触ＩＣカード１は，ゲーム分野のみならず，様々なサービスで利用可能である。
【符号の説明】
【００２８】
１    非接触ＩＣカード
１０  電磁波遮蔽層
１１  インレット
１１ａ  前面側インレット
１１ｂ  裏面側インレット
１１０，１１０ａ，１１０ｂ  ＩＣチップ
１１１，１１１ａ，１１１ｂ  アンテナ
【図１】
2018190279.tif 000003
【図２】
2018190279.tif 000004
【図３】
2018190279.tif 000005
【図４】
2018190279.tif 000006
【図５】
2018190279.tif 000007
【図６】
2018190279.tif 000008